(57)【要約】【課題】本発明の課題は、建築板の表面に傾斜等を与えることなく立体的外観を付与することにある。【解決手段】板表面に縦横目地溝２，３によって画定されている凸ブロック４の複数個を縦横に配設したブロック調模様を有する建築板１において、該凸ブロック調模様の一部または全部を縦一段または縦複数段の凸ブロック４ＡからなるユニットＵで構成し、該ユニットＵの左右両側には連続する縦目地溝２Ａ，２Ａを設け、該ユニットＵを構成する各凸ブロック４Ａの左右辺４１，４１を同方向また異方向に傾斜させることによって各凸ブロック４Ａの角部４２を左右の縦目地溝２Ａ，２Ａ内に突出せしめる。このようにすると板上面は平坦のまゝ上下の凸ブロック４Ａ，４Ａの上下辺部に重なり感が出て、よろい張り調の立体感ある意匠となる。【選択図】　図１
2004052260.tif 000002
【特許請求の範囲】
【請求項１】
板表面に縦横目地溝によって画定されている凸ブロックの複数個を縦横に配設したブロック調模様を有する建築板において、該凸ブロック調模様の一部または全部を縦一段または縦複数段の凸ブロックからなるユニットで構成し、該ユニットの左右両側には連続する縦目地溝を設け、該ユニットを構成する各凸ブロックの左右辺を同方向または異方向に傾斜させることによって各凸ブロックの角部を左右の縦目地溝内に突出せしめたことを特徴とする建築板
【請求項２】
該ユニットを構成する各凸ブロックの左右の縦目地溝内に突出した角部から上側または下側の凸ブロックの左右辺に沿って若干の延長部を設けた請求項１に記載の建築板
【請求項３】
該ユニットの左右両側に連続する縦目地溝の全部または一部は上方または下方に向けて巾を漸増せしめられている請求項１または２に記載の建築板
【請求項４】
該建築板の最上段と最下段とにおいて、該ユニットの配置位置を一致させ、該建築板を上下に接続した場合、上側の建築板の最下段のユニットと下側の建築板の最上段のユニットとが重なるようにした請求項１〜３に記載の建築板
【請求項５】
該建築板表面には塗装が施され、該ユニット部分と他の部分とは色調が異なるようにされている請求項１〜４に記載の建築板
【請求項６】
該建築板表面には塗装が施され、該ユニット部分においては該ユニット部分を構成する各凸ブロックについて色調が異なるようにされている請求項１〜５に記載の建築板
【発明の詳細な説明】
【０００１】
【発明の属する技術分野】
本発明は例えば建築物の外壁材として使用される建築板に関するものである。
【０００２】
【従来の技術】
この種の建築板としては板表面に縦横目地溝によって画定されている凸ブロックの複数個を縦横に配設したブロック調模様を形成したものが賞用されている。しかし単に凸ブロックの複数個を縦横目地溝を介して縦横に配設したのみでは立体感に乏しく面白味のない外観になる。
そこで該凸ブロックの上面を傾斜させたり（特開２０００−２１３１３８号公報）、凸ブロックに高低を設けることによってブロック調模様に立体感を与えようとする試みがなされている。
【０００３】
【発明が解決しようとする課題】
この種の建築板としては木質補強材で補強したセメント板である木質セメント板が多用されており、該木質セメント板は木質補強材とセメントとを主体とする原料混合物を型板上に撒布して乾式マットをフォーミングし、該マットを圧締養生硬化せしめる乾式法、あるいは上記原料混合物を水に分散させたスラリーを抄造して湿式マットをフォーミングし、該マットを養生硬化せしめる湿式法によって製造され、上記ブロック調模様は乾式法にあっては乾式マットの圧締時に同時に行われるエンボス加工、湿式法にあっては湿式マットの養生硬化前に行われるエンボス加工によって形成される。しかし上記ブロック調模様の凸ブロック上面を傾斜させたり、凸ブロックに高低を設けた場合、低位部分の厚みも強度上ある程度確保しなければならないので、高低差を余りつけることが出来ず、立体感に富んだ意匠を与えるにも限界がある。また凸ブロック上面を傾斜させると低位側に雨水が流れて停滞し易く、雨水が停滞した部分において局所的な汚染や吸水が起り、板の寸法安定性や耐凍性に悪影響が及ぼされるし、また凸ブロックの高位側の角部が突出しているから欠損し易い。
【０００４】
更にこのようなブロック調模様は前記したようにエンボス加工によって形成されるが、低位側は高位側よりもエンボス加工時における圧縮率が高くなり、板の密度が不均一になるので経年変化による伸縮繰返しのため反りやねじれ、あるいは内部応力によるクラックが発生し易いと云う問題点もある。また製造時においては、低位部分が有れば有るほど高圧のプレスが必要になり、コスト高および生産スピードのダウンと云う問題点を有していた。
【０００５】
【課題を解決するための手段】
本発明は上記従来の課題を解決するための手段として、板表面に縦横目地溝（２，３）　によって画定されている凸ブロック（４）　の複数個を縦横に配設したブロック調模様を有する建築板（１）　において、該凸ブロック調模様の一部または全部を縦一段または縦複数段の凸ブロック（４Ａ）からなるユニットＵで構成し、該ユニットＵの左右両側には連続する縦目地溝（２Ａ，２Ａ）　を設け、該ユニットＵを構成する各凸ブロック（４Ａ）の左右辺（４１，４１）　を同方向また異方向に傾斜させることによって各凸ブロック（４Ａ）の角部（４２）を左右の縦目地溝（２Ａ，２Ａ）　内に突出せしめた建築板（１）　を提供するものである。
該ユニットＵを構成する各凸ブロック（４Ａ）の左右の縦目地溝（２Ａ，２Ａ）　内に突出した角部（４２）から上側または下側の凸ブロック（４Ａ）の左右辺（４１，４１）　に沿って若干の延長部（４２Ａ）　を設けることが望ましく、また該ユニットＵの左右両側に連続する縦目地溝（２Ａ，２Ａ）　の全部または一部は上方または下方に向けて巾を漸増せしめられていることが望ましい。
更に該建築板（１）　の最上段と最下段とにおいて、該ユニットＵの配置位置を一致させ、該建築板（１）　を上下に接続した場合、上側の建築板（１）　の最下段のユニットＵと下側の建築板（１）　の最上段のユニットＵとが重なるようにすることが望ましい。また該建築板（１）　表面には塗装が施されてもよいが、この場合該ユニットＵ部分と他の部分とは色調を異なるようにされていることが望ましく、更にまた該ユニットＵ部分においては、該ユニットＵ部分を構成する各凸ブロック（４Ａ）についても色調が異なるようにされていることが望ましい。
【０００６】
【作用】
ユニットＵ部分を構成する縦一段または縦複数段の凸ブロック（４Ａ）の左右辺（４１，４１）　を同方向または異方向に傾斜させ各凸ブロック（４Ａ）の角部（４２）を左右の縦目地溝（２Ａ）内に突出せしめると、板表面は平面的であっても、特に該建築板（１）　の表面を斜めから見た場合、該ユニットＵ部分においては上下の凸ブロック（４Ａ，４Ａ）　の上下辺部が重なってよろい張り調の立体感に富んだ外観を呈するようになる。
特に該ユニットＵ部分を構成する各凸ブロック（４Ａ）の左右の縦目地溝（２Ａ，２Ａ）　内に突出した角部（４２）から上側また下側の凸ブロック（４Ａ）の左右辺（４１，４１）　に沿って若干の延長部（４２Ａ）　を設けると、該ユニットＵ部分における上下の凸ブロック（４Ａ，４Ａ）　の上下辺部の重なりが強調され、よろい張り調の立体感は更に顕著になる。
【０００７】
更にユニットＵ部分を構成する縦一段または縦複数段の凸ブロック（４Ａ）の左右両側に連続する縦目地溝（２Ａ，２Ａ）　の全部または一部は上方または下方に向けて巾を漸増せしめられていると、意匠の変化性が強調され、面白味のある外観になる。
また該建築板（１）　の最上段と最下段とにおいて、該ユニットＵの配置位置を一致させ、該建築板（１）　を上下に接続した場合、上側の建築板（１）　の最下段のユニットＵと下側の建築板（１）　の最上段のユニットＵとが重なるようにすると、重なったユニットＵが一つのユニットＵを構成し、よろい張り調の立体感が強調されると共に上下の板の継目が目立たなくなくなり、継目における違和感が解消される。
該建築板（１）　表面に塗装が施された場合、該ユニットＵ部分と他の部分とが色調を異なるようにされていると、該ユニットＵ部分が他の部分から目立つようになり、該ユニットＵ部分のよろい張り調の立体感が強調され、また該ユニットＵ部分においては、該ユニットＵ部分を構成する各凸ブロック（４Ａ）について色調が異なるようにされていると、更に該ユニットＵ部分のよろい張り調の立体感が強調される。
【０００８】
【発明の実施の形態】
以下、本発明を詳細に説明する。
本発明を図１〜図４に示す一実施例によって説明すれば、図に示す建築板（１）　は横長の木質セメント板からなり、表面にはエンボス加工によって縦横目地溝（２，３）　によって画定されている凸ブロック（４）　の複数個を縦横に配設したブロック調模様Ｂが付されている。
【０００９】
上記縦目地溝（２）　のうちの一部のもの（２Ａ）は、縦一段または縦複数段の凸ブロック（４Ａ）を一つのユニットＵとし、該ユニットＵの左右両側に連続させ、該縦目地溝（２Ａ）の巾を下方または上方に向かって漸増せしめる。そして該ユニットＵを構成する縦一段または複数段の各凸ブロック（４Ａ）の左右辺（４１，４１）　を同方向に傾斜させることによって各凸ブロック（４Ａ）の角部（４２）を左右の縦目地溝（２Ａ，２Ａ）　内に突出せしめる。
【００１０】
図２に示すユニットＵは細い（巾狭の）横目地溝（３Ａ）を介して縦三段に配列されている凸ブロック（４Ａ，４Ａ，４Ａ）の左右辺（４１，４１）　をそれぞれ左傾せしめてそれぞれ平行四辺形とし、上段および中段の凸ブロック（４Ａ，４Ａ）　の下右角（４２，４２）　および中段および下段の凸ブロック（４Ａ，４Ａ）　の上左角（４２，４２）　を左右の縦目地溝（２Ａ，２Ａ）　内に突出せしめ、更に中段および下段の凸ブロック（４Ａ，４Ａ）　の上左角（４２）から上側の凸ブロック（４Ａ，４Ａ）　の左辺（４１，４１）　に沿って若干の延長部（４２Ａ，４２Ａ）　を設ける。上記巾狭の横目地溝（３Ａ）の巾は左右の縦目地溝（２Ａ，２Ａ）　の最大巾以下に設定することが望ましい。
【００１１】
また図３に示すユニットＵは巾狭の横目地溝（３Ａ）を介して縦二段に配列されている凸ブロック（４Ａ，４Ａ）　の左右辺（４１，４１）　をそれぞれ右傾せしめてそれぞれ平行四辺形とし、上段の凸ブロック（４Ａ）の下左角（４２）および下段の凸ブロック（４Ａ）の上右角（４２）を左右の縦目地溝（２Ａ，２Ａ）　内に突出せしめ、更に下段の凸ブロック（４Ａ）の上右角（４２）から上段の凸ブロック（４Ａ）の右辺（４１）に沿って若干の延長部（４２Ａ）　を設ける。本実施例の延長部（４２Ａ）　は先端角形状のものを示しているが、これに限らず図６に示すような先端尖り形状の延長部（４２Ａ）　でもよい。
【００１２】
図２に示すユニットＵにあっては、中段および下段の凸ブロック（４Ａ，４Ａ）　の上左角（４２，４２）　が左側の縦目地溝（２Ａ）内に突出せしめられ、更に下右角（４２，４２）　が右側の縦目地溝（２Ａ）内に突出せしめられ、更に縦方向には各凸ブロック（４Ａ，４Ａ，４Ａ）は巾狭の横目地溝（３Ａ，３Ａ）　を介して配列されているので、特に斜め左方から見ると上段の凸ブロック（４Ａ）の下辺部と中段の凸ブロック（４Ａ）の上辺部および中段の凸ブロック（４Ａ）の下辺部と下段の凸ブロック（４Ａ）の上辺部とが点線に示すように重なった感じになり、特に中段と下段の凸ブロック（４Ａ，４Ａ）　の左上突出角部（４２，４２）　からの延長部（４２Ａ，４２Ａ）　によってこの重なり感が強調され、その結果立体感の強調されたよろい張り調の外観を呈する。
【００１３】
図３に示すユニットＵにあっては、上段の凸ブロック（４Ａ）の下左角（４２）が左側の縦目地溝（２Ａ）内に突出せしめられ、更に下段の凸ブロック（４Ａ）の上右角（４２）が右側の縦目地溝（２Ａ）内に突出せしめられ、更に縦方向には各凸ブロック（４Ａ，４Ａ）　は巾狭の横目地溝（３Ａ）を介して配列されているので、特に斜め右方から見ると上段の凸ブロック（４Ａ）の下辺部と下段の凸ブロック（４Ａ）の上辺部とが点線に示すように重なった感じになり、特に下段の凸ブロック（４Ａ）の上右突出角部（４２）からの延長部（４２Ａ）　によってこの重なり感が強調され、その結果立体感の強調されたよろい張り調の外観を呈する。
【００１４】
該建築板（１）　にあっては図４に示すように上下端部に下実（５）　と上実（６）　とが形成され、上下一対の建築板（１，１）　は該下実（５）　と上実（６）　とを重ね合わせることによって接続されるが、図１に示すように上下の接続部（３１）は横目地溝状となり、ユニットＵ部分の接続部は縦目地溝（２Ａ）の最大巾より巾狭の横目地溝状となる。また該建築板（１）　は側端縁にも合決り接合部を形成してもよいが、該接合部を形成していない場合は、左右一対の建築板（１，１）　の側端接続部（２１）にはシーリングあるいは縦ジョイナー等を用いて突合わせしてもよく、この接続部（２１）も縦目地溝状となる。
【００１５】
そして該建築板（１）　を張設する際、最上段と最下段との凸ブロック（４）　の配列を一致させる。そうすると図１に示すように上下の建築板（１，１）　の接続部分において図３に示すユニットＵが重なって四段の凸ブロック（４Ａ，４Ａ，４Ａ，４Ａ）　からなるよろい張り調のユニットが構成される。
【００１６】
本実施例においては、凸ブロック（４）　のうちのいくつかのもの（４Ｂ）は平行四辺形にされかつ左辺の縦目地溝（２Ｂ）と下辺の横目地溝（３Ｂ）とが巾広にされ、右辺の縦目地溝（２）　と上辺の横目地溝（３）　とが巾狭にされる。更に建築板（１）　の最右列と最左列との凸ブロック（４）　の配列も一致せしめられ、図１に示すように左右の建築板（１，１）　の接続部（２１）において、左右の建築板（１，１）　の凸ブロック（４Ｂ’，４Ｂ’）　によって平行四辺形の凸ブロック（４Ｂ）が形成されるように設定しておく。そして該凸ブロック（４Ｂ）の左辺の縦目地溝（２Ｂ）と下辺の横目地溝（３Ｂ）とを巾広にし、右辺の縦目地溝（２）　と上辺の横目地溝（３）　とを巾狭にする。
【００１７】
このような凸ブロック（４Ｂ）にあっては、左辺と下辺の目地溝（２Ｂ，３Ｂ）　が巾広になっているので、特に斜め左側から見ると該凸ブロック（４Ｂ）が浮上って見え、立体感が一層強調された外観になる。
【００１８】
本発明においては更に図５に示すように三段の凸ブロック（４Ａ，４Ａ，４Ａ）の左辺を右傾させ右辺を左傾させてもよい。この場合には上段および中段の凸ブロック（４Ａ，４Ａ）　の下左角（４２）と下右角（４２）が左右の縦目地溝（２Ａ）内に突出する。この場合にも上段と中段の凸ブロック（４Ａ）の上下辺部、中段と下段の凸ブロック（４Ａ）の上下辺部に重なり感が出て、よろい張り調の外観となる。
【００１９】
また図７に示すように建築板（１）　の表面に形成される凸ブロック（４Ａ）の全部をユニットＵの構成要素としてもよい。
【００２０】
更に図８に示すように、建築板（１，１）　の最上段と最下段に縦一段の凸ブロック（４Ａ）からなるユニットＵを設け、かつ該ユニットＵの配置位置を一致させ、該建築板（１，１）　を上下に接合した場合、上側の建築板（１）　の最下段のユニットＵと下側の建築板（１）　の最上段のユニットＵとが重なるように設定してもよい。
【００２１】
更に本発明の建築板（１）　の表面には塗装が施されてもよい。塗装はインクジェット方式、スプレー方式、ゴムロール方式、ワイピング方式等の公知の方式を適用して行われる。この場合、該ユニットＵ部分を他の部分と色調が異なるように塗装し、該ユニットＵ部分を目立たせ、該ユニットＵ部分のよろい張り調の立体感が強調されるようにすることが望ましい。また該ユニットＵ部分において、該ユニットＵを構成する各凸ブロック（４Ａ）について色調が異なるように塗装してもよい。相互に重なって見える一対の凸ブロック（４Ａ，４Ａ）　にあっては、上側に重なって見える凸ブロック（４Ａ）を淡色とし、下側に重なって見える凸ブロック（４Ａ）を濃色とすれば、よろい張り調の重なりが一層強調される。また一つの凸ブロック（４Ａ）においても、上下の凸ブロック（４Ａ）との重なり部分において上側に重なって見える端縁側を淡色とし、下側に重なって見える端縁側を濃色にすると、更によろい張り調の重なりが強調して看取される。
【００２２】
また上方または下方に向けて漸増せしめられている縦目地溝（２Ａ）（太目地溝）の最大巾は通常の縦目地溝（２）　や横目地溝（３）　あるいはユニットＵ部分の細目地溝（３Ａ）の巾より大きく設定されていることが望ましい。この場合、細目地溝（２，３，３Ａ）は浅く、太目地溝（２Ａ）は深くされているのが望ましい。このようにするとよろい張り調の立体感が一層高められる。
【００２３】
【発明の効果】
本発明では板表面の凸ブロック上面を傾斜あるいは高低を設けることなく、実質的に平坦のまゝで、板全体の密度を略一定にしかつ水溜り低位部等も形成することなしに、極めて効果的によろい張り調の立体感を与えることができ、また高圧でプレスする必要がないので建築板の生産コストが低くなる。
【図面の簡単な説明】
図１〜図４は本発明の一実施例を示すものである。
【図１】四枚の建築板の接続部付近における部分平面図
【図２】三段凸ブロックのユニットＵ拡大平面図
【図３】二段凸ブロックのユニットＵ拡大平面図
【図４】図１におけるＡ−Ａ’断面図図５〜図８は他の実施例を示すものである。
【図５】三段凸ブロックのユニットＵ拡大平面図
【図６】ユニットＵの凸ブロック延長部の説明図
【図７】凸ブロック全部をユニットＵで構成した部分説明図
【図８】縦一段のユニットＵを配置した建築板の上下接合部の部分説明図
【符号の説明】
１　　　　　　　建築板
２，２Ａ　　　　縦目地溝
３，３Ｂ　　　　横目地溝
４，４Ａ　　　　凸ブロック
４１　　　　　　左右辺
４２　　　　　　角部
４２Ａ　　　　　延長部
Ｕ　　　ユニット
【図１】
2004052260.tif 000003
【図２】
2004052260.tif 000004
【図３】
2004052260.tif 000005
【図４】
2004052260.tif 000006
【図５】
2004052260.tif 000007
【図６】
2004052260.tif 000008
【図７】
2004052260.tif 000009
【図８】
2004052260.tif 000010